(57)【特許請求の範囲】
【請求項１】
化粧料を収容する本体と、該本体に対して相対的に回転可能に嵌合する蓋体と、磁力により前記本体及び前記蓋体を嵌着状態に保持する少なくとも1組の磁石セットとを備えた化粧料容器において、
前記本体及び蓋体のそれぞれが前記嵌合の際に互いに当接する当接面を有し、該当接面のうち一方がカム面、他方が該カム面上を従動する従動面を含み、前記カム面と前記従動面は、前記本体に対する前記蓋体の相対的回転に応じて、該本体と該蓋体とが相対的に回転の軸方向に移動するように構成され、前記本体に対して前記蓋体を回転することにより、前記本体と前記蓋体は前記当接面が互いに当接して該本体および該蓋体が磁力により嵌着状態に保持された嵌着位置と、該当接面が磁力に抗して互いに離れた離間位置との間で移動可能とされていることを特徴とする化粧料容器。
【請求項２】
前記カム面と前記従動面の一方が前記当接面のうち一方に設けられた凹部として形成され、前記カム面と前記従動面の他方が前記当接面の他方に該凹部に当接する凸部として形成され、前記回転によって、該凹部が該凸部に乗り上げることにより前記本体と蓋体が離間するように構成されている請求項１に記載の化粧料容器。
【請求項３】
前記凹部と凸部の組み合わせが、前記回転軸を中心とした円弧上に複数設けられていることを特徴とする請求項１または２に記載の化粧料容器。
【請求項４】
前記本体が円筒であり、該円筒の中に繰り出し可能なリップスティックが収容されていることを特徴とする請求項１〜３のいずれか１項に記載の化粧料容器。
【請求項５】
前記嵌着状態において、前記蓋体の外周面と前記本体の外周面とが面一となることを特徴とする請求項１〜４のいずれか１項に記載の化粧料容器。
【請求項６】
前記本体および前記蓋体の前記回転軸の方向に直交する、それぞれの断面形状が、１本の直線に関して線対称であることを特徴とする請求項１〜５のいずれか１項に記載の化粧料容器。
【請求項７】
前記磁石セットを複数組備えていることを特徴とする請求項１〜６のいずれか１項に記載の化粧料容器。
【請求項８】
前記磁石セットの一方が前記当接面のうち一方に設けられ、前記磁石セットの他方が前記当接面のうち他方に設けられていることを特徴とする請求項１〜７のいずれか１項に記載の化粧料容器。
【請求項９】
前記磁石セットの一方が、前記当接面の一方においてＮ極を当接面の他方に向け、前記磁石セットの他方が、前記当接面の他方においてＳ極を当接面の一方に向けていることを特徴とする請求項８に記載の化粧料容器。
【請求項１０】
前記嵌着状態において、前記磁石セットから漏洩する磁力が５００ガウス以下であることを特徴とする請求項１〜９のいずれか１項に記載の化粧料容器。
【発明の詳細な説明】
【技術分野】
【０００１】
本発明は化粧料容器に関し、より詳しくは、口紅等の化粧料を収容する本体と、本体に回転自在に嵌合する蓋体と、磁力により本体と蓋体とを嵌着状態に保持する磁石を備えた化粧料容器に関するものである。
【背景技術】
【０００２】
従来、化粧料を収容する本体と、この本体に回転自在に嵌合する蓋体とからなる化粧料容器において、嵌着状態を保持するため、本体および蓋体のそれぞれの接合面に磁石を取り付ける技術が古くから知られている。（特許文献１）
【０００３】
そして、嵌着保持用の磁石を取り付けた化粧料容器において、嵌合する際、同極同士が対向するのを回避し、異極同士が対向する位置に位置決めするため、本体および蓋体の外周面に目印を設ける技術もある。（特許文献２）さらに、磁力のみの位置決めでは、多少の位置ずれが発生するため、本体側に段差部を設け、その段差部に係合する凹部を蓋体側に設けることにより、より正確な位置決めを行う技術も知られている。
【先行技術文献】
【特許文献】
【０００４】
【特許文献１】実開昭５７−１８７１１７号公報
【特許文献２】特許第５４８０５５３号
【発明の概要】
【発明が解決しようとする課題】
【０００５】
しかしながら、特許文献１や特許文献２のように、磁力のみで位置決めを行うためには、強い磁力を有する磁石を用いる必要があるため、蓋体を本体から離脱する際、磁力に抗する強い引っ張り力が必要となり、離脱し辛いという難点がある。
【０００６】
また、化粧料容器は鞄等に入れて携帯する場合も多く、化粧料容器から漏洩する磁力が強いと、同じ鞄内にある各種電子機器や、各種磁気カード等に影響を及ぼす可能性があるが、上記特許文献には、化粧料容器から漏洩する磁力を抑えることや、蓋体を本体から離脱し易くすることについて、何ら記載も示唆もされていない。
【０００７】
本発明は、上記事情に鑑み、磁力により、本体と蓋体との嵌着状態を保持する化粧料容器において、磁力で嵌合する際の吸い付くような心地よい感触を損なわず、漏洩する磁力を抑え、かつ蓋体を本体から離脱し易くするとともに、本体と蓋体の回転方向の所定位置への位置決めを確実かつ容易にすることを目的とするものである。
【課題を解決するための手段】
【０００８】
上記の課題を解決するために、本発明の化粧料容器は、化粧料を収容する本体と、本体に対して相対的に回転可能に嵌合する蓋体と、磁力により、本体と蓋体を嵌着状態に保持する少なくとも１組の磁石セットとを備えた化粧料容器において、
本体および蓋体のそれぞれが、嵌合の際に互いに当接する当接面を有し、
当接面は、本体と蓋体の相対的回転により、本体と蓋体とが回転方向の所定位置に決め位置されて当接する位置と、その所定位置から外れて本体と蓋体とが回転の軸方向に離間する位置との間で離接するように構成され、
前記本体に対して前記蓋体を回転することにより、前記本体と前記蓋体が、前記当接面が互いに当接して該本体および該蓋体が磁力により前記所定位置に嵌着状態に保持された嵌着位置と、該当接面が磁力に抗して互いに離れた前記所定位置から外れた離間位置との間で移動可能とされていることを特徴とする。
【０００９】
ここで、「本体に対して相対的に回転可能に嵌合する蓋体」とは、本体と蓋体とが嵌合した状態で本体と蓋体の一方が他方に対して回転可能になっていることを意味するもので、いずれかが固定され他方が回転するものに限定されず、両方が回転されるものも含む。
【００１０】
前記当接面は、本体と蓋体の相対的回転により本体と蓋体とが回転方向の所定位置に決め位置されて当接する位置と、その所定位置から外れて本体と蓋体とが回転の軸方向に離間する位置との間で離接するように構成されているが、それらの当接面のうち一方に凹部、他方にその凹部に当接する凸部が形成され、回転によって凹部が凸部に乗り上げることにより本体と蓋体が離間するように構成されていてもよい。ここで、「離間する」とは、本体と蓋体が離れることを、また「離接する」とは、本体と蓋体が離れたり当接したりすることを意味する。
【００１１】
すなわち、本体と蓋体とは、その当接面の回転軸を中心とした円弧上に形成された凹部に沿って、他方に形成された凸部が、本体に対して蓋体を回転させることにより摺動方向に移動する関係にあり、これにより、本体に対して蓋体を回転させることにより蓋体を本体から離間させることができるようになっている。
【００１２】
また、本発明の化粧料容器において、前記凹部と凸部の組み合わせは、前記回転軸を中心とした円弧上に複数設けられていてもよい。
【００１３】
また、本発明の化粧料容器は、本体を円筒とし、この円筒の中に繰り出し可能な化粧料たとえばリップスティックを収容してもよい。
【００１４】
また、本発明の化粧料容器は、嵌着状態において、蓋体の外周面と本体の基端部の外周面とが面一となっていてもよい。
【００１５】
また、本発明の化粧料容器は、本体および蓋体の、前記回転軸の方向に直交するそれぞれの断面形状が、１本の直線に関して線対称であってもよい。
【００１６】
また、本発明の化粧料容器は、磁石セットを複数組備えてもよい。
【００１７】
ここで磁石セットとは、一方が本体の当接面に設けられ、他方が蓋体の当接面に設けられた、Ｓ極とＮ極の組合せを意味する。
【００１８】
また、本発明の化粧料容器において、前記磁石セットの一方が、前記相対する当接面の一方においてＮ極を他方に向け、前記磁石セットの他方が、前記相対する当接面の他方においてＳ極を前記相対する当接面の一方に向けているのが望ましい。すなわち、同じ当接面には同じ極性の磁極が露出していることが望ましい。
【００１９】
また、本発明の化粧料容器は、嵌着状態において磁石セットから漏洩する磁力が５００ガウス以下であることが望ましい。
【発明の効果】
【００２０】
本発明の化粧料容器によれば、磁力により、本体と蓋体との嵌着状態を保持する化粧料容器において、本体と蓋体の嵌合の際に互いに当接する当接面が、本体と蓋体の相対的回転により本体と蓋体とが回転方向の所定位置に決め位置されて当接する位置と、その所定位置から外れて本体と蓋体とが回転の軸方向に離間する位置との間で離接するように構成され、上記相対的回転により当接面が互いに当接して本体と蓋体が磁力により所定位置に保持された嵌着位置と、当接面が磁力に抗して互いに離れた所定位置から外れた離間位置との間で移動可能とされているため、位置決めは磁力のみによらないので、磁石の磁力を大きくする必要がなく、漏洩する磁力を抑えることができ、蓋体を本体から離脱し易くすることができ、当接面の形状により本体と蓋体の回転方向の所定位置への位置決めを確実かつ容易にすることができる。
使用者の感覚としては、例えば本体を持って蓋体を回転して所定位置に近い位置に来たとき、蓋体が吸い込まれるように磁力によって所定位置に嵌着されるので、磁力で嵌合する際の吸い付くような心地よい感触を損なわず、自動的に位置決めと嵌着がされるという感触が得られる。
【図面の簡単な説明】
【００２１】
【図１】化粧料容器の嵌着態様を示す斜視図
【図２】化粧料容器の離脱態様を示す斜視図
【図３】化粧料容器の本体の平面図
【図４】化粧料容器の蓋体の底面図
【図５】化粧料容器の嵌着および離脱の推移を示す模式図
【図６】化粧料容器の凸部および凹部の組み合わせの変形例を示す模式図（その１）
【図７】化粧料容器の凸部および凹部の組み合わせの変形例を示す模式図（その２）
【図８】化粧料容器の凸部および凹部の組み合わせの変形例を示す模式図（その３）
【図９】化粧料容器の凸部および凹部の組み合わせの変形例を示す模式図（その４）
【図１０】化粧料容器の凸部および凹部の組み合わせの変形例を示す模式図（その５）
【図１１】化粧料容器の第２の実施形態を示す図
【図１２】本発明に係る化粧料容器と他の化粧料容器との比較結果を示す図
【図１３】本発明に係る化粧料容器の第３の実施形態を示す斜視図
【発明を実施するための形態】
【００２２】
以下、本発明の実施形態の１つである化粧料容器１について図面を参照して詳細に説明する。化粧料容器１は、たとえば口紅（リップスティック、リップカラー、リップライナー、リップクリーム、リップグロス、リップエッセンスを含む）等のスティック状の唇用化粧料を収容するものである。なお、本発明の化粧料容器はスティック状の唇用化粧料に限らず、本体に対して蓋体が回転自在の嵌着部を有する形態の容器であれば、いかなる化粧料を収容するものにも適用可能である。例えば、ディスペンサー式やポンプ式の化粧料容器等を挙げることができる。
【００２３】
化粧料容器１は、図１から図４に示すように本体２と、本体２に対して回転軸ＡＸの回りに回転自在に嵌合する蓋体３とから主に構成される。図１は、本体２と蓋体３とが嵌着している状態、図２は本体２と蓋体３とが離脱している状態をそれぞれ示している。また、図３は本体２の平面図、図４は蓋体３の底面図をそれぞれ示している。
【００２４】
本体２は、図２に示すように、不図示のリップスティックを収容する柱状部２１と、柱状部２１の外径よりも大きな外形寸法を有する基端部２２とから主に構成される。柱状部２１は上端に開口２１１を有する円筒であり、この中に不図示のリップスティックが開口２１１から挿入されて保持される。
【００２５】
化粧料容器１は、柱状部２１に対して基端部２２が相対的に回転可能になっており、柱状部２１を保持しつつ基端部２２を回転させることにより、不図示のリップスティックを開口２１１から繰り出し自在にする不図示の公知の繰出機構を備えている。
【００２６】
蓋体３は、図２に示すように、有底筒状である。そして、蓋体３は柱状部２１が挿通する挿通孔３１を下端（蓋体３に関しては、図２において上下が逆に図示されている）に有している。本体２の基端部２２と蓋体３の外周面の形状は、特に嵌着部において略同じで、図１に示す嵌着状態では全体が一つのまとまった形状をなしている。もちろん、蓋体３の外周面は、上方にいくほど可能な範囲で細くしたり、円形から変形したデザインにしてもよい。
【００２７】
化粧料容器１の本体２と蓋体３とは、基端部２２の上端を構成する段面２２２と蓋体３の下端面３３とが互いに当接することにより、嵌着する。図１に示すように、嵌着状態において、基端部２２の外周面２２１と蓋体３の外周面３２とは面一となる。段面２２２および端面３３のそれぞれが特許請求の範囲における「当接面」に対応する。
【００２８】
図３および図４から明らかなように、本実施形態において、基端部２２および蓋体３の、高さ方向すなわち回転軸ＡＸ方向に直交する各断面の輪郭は曲率の異なる複数の円弧を連続させた非円形の形状である。そして、各断面は、回転軸ＡＸと交差する１本の線のみに関して線対称となっている。すなわち２本以上の線に関しては対称となっていない。このような各断面の輪郭としては、図示の形状以外に、たとえばハート形、三日月形、二等辺三角形等がある。もちろん、これら以外にも上記対象の条件を満足する任意の形状にデザイン可能である。
【００２９】
これにより、外周面２２１と外周面３２とが面一となって嵌着する位置は一義的に定まっている。化粧料容器１は、嵌着する位置が一義的に定まるように、線対称直線Ｌが１本以下（線対称直線Ｌが０本とは、いずれの方向にも非対称の形状を意味する）であることが望ましい。線対称直線Ｌを１本のみとしたのは、好みにもよるが、美観を考慮したものである。
【００３０】
しかしながら、本発明による化粧料容器は、線対称直線Ｌが２本存在する長方形や楕円形、３本存在する正三角形、４本存在する正方形や、無数に存在する円形等の外形を有するものも含む。
【００３１】
図３に示すように、段面２２２には２つの本体磁石２３が、回転軸ＡＸ上に中心を有する円周方向に１８０度以外の所定の角度間隔で取り付けられている。そして、図４に示すように、端面３３にも２つの蓋体磁石３４が、回転軸ＡＸ上に中心を有する円周方向に前記所定の角度と同じ角度間隔で、嵌着する位置において本体磁石２３が蓋体磁石３４に対向する位置に取り付けられている。
【００３２】
それぞれ２つの本体磁石２３および蓋体磁石３４は、嵌着する位置において、異なる磁極同士が互いに対面して磁着する磁極を有している。本体磁石２３および蓋体磁石３４は、互いに磁着することにより、本体２と蓋体３とが嵌着した状態を保持する。嵌着する位置において、異なる磁極同士が対面する位置に取り付けられた、本体磁石２３と蓋体磁石３４との組み合わせが、磁石セットとなる。図示の例では、２つの本体磁石２３はいずれもＮ極、２つの蓋体磁石３４はいずれもれＳ極で、本体２と蓋体３にはいずれも同じ極性が表面を向いた（露出した）磁石となっている。しかし、これは、同じでなく反対の極としてもよい。すなわち２つの本体磁石２３うち一方がＮ極で他方がＳ極を当接面に露出し、対する２つの蓋体磁石３４のうち本体磁石２３のＮ極に対する方がＳ極で他方がＮ極となるようにしてもよい。しかし、その場合は、製造工程において磁石を埋め込むときに磁石の位置によって極性を変えなければならず、組立作業が煩雑になるという不利があるので、図示の実施形態のように磁石は同じ向きに埋め込むようにすることが望ましい。
【００３３】
磁石セットは２組に限定されるものではなく、少なくとも１組以上あればよい。しかしながら、１組の場合に化粧料容器１からの漏洩する磁力が局所的に強くなる可能性もあり、少なくとも２組以上として漏洩する磁力を分散させることが望ましい。
【００３４】
また、本体磁石２３および蓋体磁石３４を取り付ける位置は、段面２２２および端面３３に限定されるものではない。たとえば、本体磁石２３は柱状部２１の外周面２１２、蓋体磁石３４は蓋体３の内周面３５に取り付けてもよい。
【００３５】
図３および図４に示すように、本体磁石２３および蓋体磁石３４は、略円形であるが、特に限定されるものではない。矩形状、リング状等の形状であってもよい。本体磁石２３および蓋体磁石３４は、線対称直線Ｌに対して線対称な位置にそれぞれ取り付けされているが、特に制限させるものではない。嵌着状態において、異なる磁極同士が対面する位置であれば、どこにあってもよい。
【００３６】
本体２および蓋体３の外周面の輪郭に線対称直線Ｌが複数存在すると、外周面２２１と外周面３２とが面一となる嵌着位置が複数存在する。複数の嵌着位置のいずれもが許容される場合、本体磁石２３および蓋体磁石３４の各取り付け位置は、嵌着する位置が異なる磁極同士が対面する位置であればよい。
【００３７】
しかしながら、たとえば、ロゴやマーク等が外周面２２１と外周面３２との両方に亘って印刷され、複数の嵌着位置のうち特定の位置でのみ、その内容を視認できる場合には、本体磁石２３および蓋体磁石３４は、その特定の位置においてのみ、異なる磁極同士が対面するように、取り付けることが望ましい。
【００３８】
図３に示すように、全ての本体磁石２３は、嵌着する際に、Ｎ極が端面３３と対面するように取り付けられている。そして、図４に示すように、全ての蓋体磁石３４は、嵌着する際、Ｓ極が段面２２２に対面するように取り付けられている。これらの磁石は、嵌着する際に全ての本体磁石２３はＳ極が端面３３と対面するよう、全ての蓋体磁石３４はＮ極が段面２２２と対面するよう、実施形態とは逆極性となるように取り付けてもよい。
【００３９】
磁石セットが複数組ある場合、磁極の方向を揃えて取り付けることにより、前述のとおり、たとえばＳ極とＮ極を交互に並べるような取り付けと比べて、製造時の手間が省けコストを低減することができる。
【００４０】
本体磁石２３および蓋体磁石３４には、カバンやポケットに入れたときに、カードやメモリなど磁気の影響を受ける他の物に悪影響を与えないように、公知の磁力センサを用いた公知の方法で測定した場合、嵌着状態において化粧料容器１から漏洩する磁力が５００ガウス以下となる磁石を用いることが望ましい。磁力を５００ガウス以下にする方法としては、磁石を弱くすること以外に、強い磁石を用いても例えば断面２２２や端面３３の幅を大きくして、磁石から化粧料容器１の外周面までの距離を大きくしたり磁石を分散させて設けたりすることによっても実現することができる。
【００４１】
図２に示すように、段面２２２は、段面２２２上に形成された２つの凸部２２３を含んでいる。また、端面３３は、端面３３上に形成された２つの滑らかな凹部３３１を含んでいる。そして、凸部２２３および凹部３３１は、嵌着する位置において互いに係合する。
【００４２】
図５は、凸部２２３および凹部３３１の、嵌着および離間における推移を示す図である。図５に示すように、凸部２２３は、凸部２２３を除く段面２２２に対して隆起した湾曲面を有し、凹部３３１は、凹部３３１を除く端面３３に対して凹んだ湾曲面を有している。そして、凸部２２３の湾曲面が従動面２２４、凹部３３１の湾曲した面がカム面３３２となる。
【００４３】
段面２２２と端面３３とが近づくと、カム面３３２と従動面２２４とが接触する（図５のイ参照）。そして、本体磁石２３と蓋体磁石３４との互いに引き合う力が強くなり、カム面３３２が従動面２２４上を滑らかに摺動する（図５のロ参照）。
【００４４】
そして、カム面３３２と従動面２２４との組み合わせからなるカム機構と磁石セットの作用により、本体２および蓋体３は、相対的に回転しながら、回転軸ＡＸ方向のうち互いに近接する方向に相対的に移動する。
【００４５】
カム面３３２と従動面２２４とが一致するまで摺動すると、凸部２２３と凹部３３１とが磁石セットの引き合う磁力により引き寄せられて係合する（図５のハ参照）。このとき、蓋体３を回転する手指の感触としては、回転する力をアシストするというよりも、その力を超えて自動的に嵌着位置に引き寄せられるという感じを受ける。こうして本体磁石２３と蓋体磁石３４とが磁着し、蓋体３は、本体２に対して所望の嵌着位置で位置決めされる。磁石セットにより嵌着状態が保持される。
【００４６】
再び、蓋体３を本体２から離間させるべく本体２に対して蓋体３を回転軸ＡＸの回りに相対的に回転させると、磁力に抗して、従動面２２４がカム面３３２上を摺動し（図５のニ参照）、前述のカム機構の作用により、蓋体３を回転軸ＡＸの回りに相対的に回転させる力が、本体２および蓋体３が互いに離間する回転軸ＡＸ方向の力に変換され、従動面２２４がカム面３３２を乗り上げて、本体２および蓋体３が互いに離間する。
【００４７】
このとき、蓋体３を回転する手指の感触としては、磁力に抗しながら蓋体３を回転する力を必要とし、指を離せば蓋体３は磁力により元の嵌着位置に戻ろうと付勢力を感じる。本体２と蓋体３が互いに離間する回転軸ＡＸ方向に移動すると、嵌着が解除されて楽に蓋体３を本体２から離脱させることができる。
【００４８】
前述のカム機構は、本体２の凸部２２３および蓋体３の凹部３３１の組み合わせに限定されるものではない。その逆に、図６に示すように、蓋体３の端面３３が凸部３３３を、本体２の段面２２２が凹部２２５をそれぞれ有してもよい。そして、凸部３３３の湾曲した面を従動面３３４、凹部２２５の湾曲した面をカム面２２６としてもよい。
【００４９】
また、従動面２２４およびカム面３３２は、湾曲した面に限定されるものではない。図７に示すように、従動面２２４は、凸部２２３を除く段面２２２に対して傾斜した面でもよく、カム面３３２は、凹部３３１を除く端面３３に対して傾斜した面であってもよい。なお、傾斜した面を用いることは、従動面３３４およびカム面２２６（図６参照）に適用してもよい。その場合、それぞれの面は全体としては滑らかでなくなるが、端面３３に形成される凹部３３１の端面３３に隣接する傾斜面が緩やかな傾斜面であれば、従動面３３４が凹みの凹部３３１に容易に案内されて従動するので滑らかな動きが確保される。
【００５０】
従動面２２４およびカム面３３２の形状は特に限定されるものではない。互いに係合した際、少なくともその一部が略隙間のなく相補していればよい。従動面３３４およびカム面２２６（図６参照）についても同様である。
【００５１】
図８に示すように、凸部２２３および凹部３３１は１つずつ設けられていてもよい。また図９に示すように、２つの凸部２２３および２つの凹部３３１は、大きさが互いに異なっていてもよい。また、図１０に示すように、凸部２２３および凹部３３１は４つずつ、すなわち複数であってもよい。凸部３３３および凹部２２５（図６参照）も同様である。
【００５２】
図１１に示すように、本発明は、筒状の本体４と、回転軸Ｂの回りに回転自在に本体４に嵌合する蓋体５とからなる化粧料容器６にも適用してもよい。そして、本体４の段面４１に凸部あるいは凹部を形成し、蓋体５の端面５１に凹部または凸部を形成してもよい。
【００５３】
図１２は、本発明による化粧料容器（Ｅ）を、化粧料容器と磁石セットにより嵌着状態が保持されるタイプの他の化粧料容器（Ａ〜Ｄ）と比較して各種測定を行い、その結果を示した図である。
【００５４】
各測定内容は、蓋体を本体に対して回転させることなく、高さ方向に引っ張って離脱させるのに必要な力（Ｎ）、蓋体を回転させつつ引っ張って離脱させるのに必要な力（単位ニュートン：Ｎ）、および嵌着状態において漏洩する磁力（単位ガウス：Ｇ）である。
【００５５】
化粧料容器Ａ〜Ｃは凸部および凹部からなるカム機構を備えず、磁石のみで嵌着を保持する構造である。化粧料容器Ａは１組のリング形状の磁石セットを取り付けたもの、化粧料容器Ｂは２組の円柱状の磁石セットを取り付けたもの、化粧料容器Ｃは４組の円柱状の磁石セットを取り付けたものである。
【００５６】
化粧料容器Ｄは、４組の円柱状の磁石セットを取り付け、さらに凸部および凹部からなる位置決め構造を有するものである。この位置決め構造は、単なる凹凸の嵌め合いであり、回転しようとしても凸部および凹部が互いに摺動せず、嵌着状態において、本体に対する蓋体の相対的な回転運動を抑制するものである。
【００５７】
図１２に示すように、本実施例による化粧料容器は、磁力の比較的に弱い磁石セットを用いることが可能である。これにより、化粧料容器Ｅは、引っ張りのみの場合および回転させながら引っ張る場合の両方においても、化粧料容器Ａ〜Ｄと比較して、弱い力で脱着が可能となっている。
【００５８】
以上に説明した通り、本実施形態によれば、カム面３３２（凹部）と従動面（凸部）２２４とのカム機構により、本体２の蓋体３に対する回転に応じて、本体２と蓋体３とが回転軸ＡＸの軸方向に近接または離間するため、滑らかな嵌着および脱着を実現できる。また、磁力を受けながらの脱着および磁力に抗しながらの脱着は、使用者に対して、良好な使用感、重厚感、高級感を与えることができる。
【００５９】
本発明に係る化粧料容器は、アイライナー、マスカラ、アイシャドー、アイブロー等の眉目用化粧料を収容する容器や、液体または半液体状の皮膚外用剤としての化粧料を収容する容器に適用することもできる。
【００６０】
以上の説明では、本体２と蓋体３の当接面２２２，３３上に設けられた従動面２２４とカム面３３２は、回転軸ＡＸを中心とした円弧上に間隔（例えば180度）をおいて設けられているが、これは、360度全体に盛り上がったカム面（段差）とすることもできる。そのような実施形態を以下、図１３に示す。
【００６１】
図１３は本発明の第３の実施形態を示すもので、これは回転軸ＡＸと同軸の本体１２と蓋体１３とからなり、本体１２の基端部１２Ａの上に、化粧料を吐出するプッシュ式の吐出部１２Ｂが固設された化粧料容器である。
【００６２】
本体１２と蓋体１３は回転軸ＡＸに垂直な断面形状が円ではなく、１軸に対称な異形をしており、外形から、本体１２に蓋体１３を嵌合するときの位置は一目でわかるようになっている。基端部１２Ａの上面１２Ｃには、上面１２Ｃと同形で一回り小さい段差１４があり、その上に吐出部１２Ｂが固定されている。段差１４は、側面となる斜面１４Ａに囲まれた変形３角形の上面１４Ｂを有している。
【００６３】
蓋体１３は、嵌着時に本体１２の基端部１２Ａの上面１２Ｃに当接する当接面１３Ａと、本体１２の段差１４を受容する凹み１３Ｂと、吐出部１２Ｂを収容する円形断面の収容穴１３Ｃを備えている。凹み１３Ｂの内面は、段差１４の外面に略沿って段差１４を収容するように形成されている。図示はしないが、本体１２と蓋体１３の当接面１２Ｃ,１３Ａあるいは段差１４の外面と凹み１３Ｂの内面には、互いに引き合う磁石が埋め込まれている。
【００６４】
この第３の実施形態の化粧料容器を開閉するときは、嵌着状態から蓋体１３を本体１２に対して回転させれば、蓋体１３は本体１２の段差１４に乗り上げて本体１２から離脱する。嵌合するときは、外形に合わせて蓋体１３を本体１２に被せれば、段差１４の斜面に沿って位置決めされると同時に、磁力によりその位置に吸いつけられる。
この場合、斜面１４Ａがカム面として機能する。
【００６５】
本発明は、以上に説明した実施形態に特に限定されるものではなく、本発明の趣旨を逸脱しない限りにおいて適宜変更することもできる。
【符号の説明】
【００６６】
１，６          化粧料容器
２，４          本体
３，５          蓋体
２１            柱状部
２２            基端部
２３            本体磁石
３２            外周面（蓋体）
３３，５１      端面（当接面）
３４            蓋体磁石
４１，２２２    段面（当接面）
２２１          外周面（基端部）
２２３，３３３  凸部
２２４，３３４  従動面
２２５，３３１  凹部
２２６，３３２  カム面
【図１】
0006725256.tif 000002
【図２】
0006725256.tif 000003
【図３】
0006725256.tif 000004
【図４】
0006725256.tif 000005
【図５】
0006725256.tif 000006
【図６】
0006725256.tif 000007
【図７】
0006725256.tif 000008
【図８】
0006725256.tif 000009
【図９】
0006725256.tif 000010
【図１０】
0006725256.tif 000011
【図１１】
0006725256.tif 000012
【図１２】
0006725256.tif 000013
【図１３】
0006725256.tif 000014